(57)【要約】  本発明は、第１のクランプ面（１２ｃ）を有する第１のクランプ要素（１２ａ）と、第２のクランプ面（１２ｄ）を有する第２のクランプ要素（１２ｂ）と、第１の閉位置において、第１のクランプ面（１２ｃ）と第２のクランプ面（１２ｄ）との間の距離（ｄ）を画定するための、少なくとも１つのスペーサ（１３；１３ａ；１３ｂ）と、を含み、第１のクランプ要素（１２ａ）及び第２のクランプ要素（１２ｂ）は、第１のクランプ面と第２のクランプ面との間の隙間に１本又は複数本の毛髪が入ることができる開位置と、第１の閉位置と、の間で移動可能であるように配置されている、脱毛装置に関する。このような脱毛装置は、硬毛を引き抜くのに特に適している一方で、顔の皮膚領域に特異的に存在する軟毛は、距離（ｄ）に関連するその厚さが小さいという理由から、引き抜かれる。
2012520162.tif 000002
【特許請求の範囲】
【請求項１】
第１のクランプ面（１２ｃ）を有する第１のクランプ要素（１２ａ）と、
第２のクランプ面（１２ｄ）を有する第２のクランプ要素（１２ｂ）と、
前記第１の閉位置において、前記第１のクランプ面（１２ｃ）と前記第２のクランプ面（１２ｄ）との間の距離（ｄ）を画定するための、少なくとも１つのスペーサ（１３；１３ａ；１３ｂ）と、を含み、
前記第１のクランプ要素（１２ａ）及び前記第２のクランプ要素（１２ｂ）は、前記第１のクランプ面と前記第２のクランプ面との間の隙間に１本又は複数本の毛髪が入ることができる開位置と、第１の閉位置と、の間で移動可能であるように配置されている、脱毛装置。
【請求項２】
前記距離（ｄ）が、約５マイクロメートル〜約４０マイクロメートル、特に約１０マイクロメートル〜約３０マイクロメートルの範囲内にある、請求項１に記載の脱毛装置。
【請求項３】
前記スペーサ（１３；１３ａ；１３ｂ）が、前記第１のクランプ要素（１２ａ）又は前記第２のクランプ要素（１２ｂ）上に存在する、少なくとも１つの高台部又は隆起部分によって形成される、請求項１又は２に記載の脱毛装置。
【請求項４】
前記スペーサ（１３；１３ａ；１３ｂ）が、前記第１のクランプ要素（１２ａ）又は前記第２のクランプ要素（１２ｂ）の一体の一部分である、請求項３に記載の脱毛装置。
【請求項５】
前記スペーサ（１３；１３ａ；１３ｂ）が、前記第１のクランプ要素（１２ａ）又は前記第２のクランプ要素（１２ｂ）に貼付けられる箔又は薄いシートである、請求項３に記載の脱毛装置。
【請求項６】
前記スペーサ（１３）が、移動可能であるように配置され、かつ、作動中に前記第１の閉位置が達成される第１のスペーサ位置と、作動中に第２の閉位置が達成される第２のスペーサ位置と、を有し、
前記第２の閉位置において、前記第１のクランプ面（１２ｃ）及び前記第２のクランプ面（１２ｄ）が、本質的に互いの間に距離（ｄ）がない状態で互いにクランプ接触される、請求項１に記載の脱毛装置。
【請求項７】
前記第１のスペーサ位置と前記第２のスペーサ位置との間で、前記スペーサ（１３）を移動させるための、スペーサ作動ユニットを更に含む、請求項６に記載の脱毛装置。
【請求項８】
前記開位置と前記第１の閉位置との間で、前記第１のクランプ要素（１２ａ）及び前記第２のクランプ要素（１２ｂ）を移動させるための、作動ユニット（１４ａ、１４ｂ、１４ｃ、１５、２０、２１、２２）を更に含む、請求項１〜７のいずれか一項に記載の脱毛装置。
【請求項９】
前記脱毛装置が電動脱毛装置である、請求項１〜８のいずれか一項に記載の脱毛装置。
【発明の詳細な説明】
【技術分野】
【０００１】
本発明は、脱毛装置に関し、特に、第１のクランプ要素と第２のクランプ要素とを有する脱毛装置に関し、作動中、第１のクランプ要素及び第２のクランプ要素は、１本又は複数の毛髪が第１のクランプ要素と第２のクランプ要素との間の隙間に入ることができる開位置と、毛髪が第１のクランプ要素と第２のクランプ要素との間に挟まれる閉位置と、の間で移動可能である。
【背景技術】
【０００２】
最初の段落による脱毛装置は、当該技術分野において既知である。手動で作動可能な毛抜きは、例えば、顔の毛をむしろ個別に除去するために使用される。動力駆動の機械的な脱毛装置が既知であり、例えば、国際公開特許第ＷＯ  ２００６／０３７３９２（Ａ１）号は、モータ駆動式脱毛ヘッドを備える脱毛装置を記載しており、当該ヘッドはいくつかの毛抜きユニットを有しており、当該毛抜きユニットはそれぞれ、脱毛装置の作動中にクランプ接触状態になる第１のクランプ要素と第２のクランプ要素とを有する。
【先行技術文献】
【特許文献】
【０００３】
【特許文献１】国際公開特許第ＷＯ  ２００６／０３７３９２（Ａ１）号
【発明の概要】
【発明が解決しようとする課題】
【０００４】
既知の装置の欠点は、顔は身体のうちではるかにデリケートな部位であるにもかかわらず、顔の毛の除去が、脚に生える毛の除去と全く同じやり方で行われるということである。
【０００５】
このため、顔の毛の脱毛に特に適した脱毛装置を提供することが望ましい。
【課題を解決するための手段】
【０００６】
上述の要望を満たすこのような脱毛装置は、独立請求項１の主題によって定義される。更なる実施形態が、従属の請求項によって定義される。
【０００７】
提案される脱毛装置は、第１のクランプ面を有する第１のクランプ要素と、第２のクランプ面を有する第２のクランプ要素と、を含む。脱毛装置は、複数の対の第１のクランプ要素及び第２のクランプ要素を含んでもよい。第１のクランプ要素及び第２のクランプ要素は、第１のクランプ面と第２のクランプ面との間の隙間に毛髪が入ることができる開位置と、第１の閉位置と、の間で移動可能であるように配置されている。脱毛装置は、第１の閉位置において、第１のクランプ面と第２のクランプ面との間の距離を画定するための、１つのスペーサを更に含む。
【０００８】
上記説明による脱毛装置により、濃い毛髪（硬毛）のみを選択的に引き抜き、薄い毛髪（具体的には軟毛）を皮膚に残すことが可能になる。特に、顔の脱毛において、このことは、薄くて低色素性の軟毛が皮膚に残存した状態で、濃くて通常は色素性の硬毛を除去することが可能になる。これにより、脱毛中の引き抜きによる痛みが少なくなり、引き抜かれない軟毛（「産毛」とも呼ばれる）に起因して、顔の皮膚の自然でビロードのような外観が維持される。このように、脱毛装置は、毛髪の選択的引き抜きを行う。
【０００９】
一実施形態では、スペーサによって画定される距離は、約５マイクロメートル〜約４０マイクロメートルの範囲内にある。特に、この距離は、約１０マイクロメートル〜３０マイクロメートルにある。この実施形態のある実現形態では、２つのクランプ面の間で画定される距離は、約１０マイクロメートル、約１５マイクロメートル、約２０マイクロメートル、約２５マイクロメートル、又は約３０マイクロメートルに設定される。この距離は、第１のクランプ面と第２のクランプ面との間の最小距離であることを理解されたい。距離は、第１のクランプ面と第２のクランプ面との間で一定であるべきではなく、具体的には、第１のクランプ面及び第２のクランプ面は、ある部分では、より大きな距離で分離されていてもよい。最小距離は、第１のクランプ面及び第２のクランプ面の効果的クランプ全幅にわたって延びる線について、本質的に達成されるべきである。
【００１０】
別の実施形態では、スペーサは、第１のクランプ要素又は第２のクランプ要素の上に存在する少なくとも高台部又は隆起部分によって実現される。２つ以上のこのようなスペーサが存在する場合、１つのスペーサは、第１のクランプ要素の上に形成されてもよく、別のスペーサは、第２のクランプ要素の上に形成されてもよい。次に、スペーサが配置されて、これらスペーサが一緒に第１の閉位置の距離を画定する。この実施形態の改良版では、スペーサは、第１のクランプ要素又は第２のクランプ要素の一体の一部分として実現されてもよい。この実施形態の別の改良版では、スペーサは、第１のクランプ要素又は第２のクランプ要素に貼付けられる（接合される）箔又は薄いシートによって形成されてもよい。これは、比較的簡単で費用効率の高いスペーサの実現形態である。
【００１１】
更なる実施形態では、スペーサは、第１のスペーサ位置と第２のスペーサ位置との間で移動可能であるように配置される。第１のスペーサ位置において、第１のクランプ要素及び第２のクランプ要素は第１の閉位置を達成し、第１の閉位置では、第１のクランプ面と第２のクランプ面との間に距離が維持される。その結果、第１のクランプ面と第２のクランプ面との間のクランプがきつくなるのが阻止される。第２のスペーサ位置において、第１のクランプ要素及び第２のクランプ要素は第２の閉位置を達成し、第２の閉位置では、第１のクランプ面及び第２のクランプ面が密接なクランプ接触状態になり、距離は維持されない。スペーサを移動可能に配置することによって、ユーザーは脱毛装置を、脱毛装置が毛髪を選択的に引き抜くモードと、脱毛装置が標準様式で機能するモードと、の間で切り替えることができる。明らかに、第２の閉位置では、第１のクランプ面と第２のクランプ面との間に残余距離が維持され、この残余距離は、例えば、第１のクランプ要素及び第２のクランプ要素の平坦性の表面粗さ及び／又は許容誤差に起因する。このような残余距離は、数マイクロメートルを超えて増加せず、例えば、２マイクロメートル又は３マイクロメートルの距離が維持され得る。
【００１２】
先の実施形態の改良版では、脱毛装置は、第１のスペーサ位置と第２のスペーサ位置との間でスペーサを移動させるための、スペーサ作動ユニットを含む。
【００１３】
更なる実施形態では、脱毛ユニットは、第１のクランプ要素及び第２のクランプ要素を開位置と第１の閉位置との間で移動させるための作動ユニットを含む。
【００１４】
一実施形態では、脱毛装置は、電動脱毛装置、具体的には、電動のモータ駆動式脱毛装置である。
【図面の簡単な説明】
【００１５】
本発明は、様々な実施形態の詳細な説明により、及び図を参照して更に明らかにされる。図中、
【図１】提案される脱毛装置の概略図。
【図２】クランプ要素及びスペーサの第１の実施形態を示す、脱毛ヘッドの脱毛シリンダーの一部の概略図。
【図３】調整可能なスペーサの概略図。
【図４Ａ】第１の閉位置にある、協働するクランプ要素の一対の第２の実施形態の上面図。
【図４Ｂ】図４Ａに示される第２の実施形態による第１のクランプ要素の正面図。
【図４Ｃ】第１の閉位置にある、協働するクランプ要素の一対の第３の実施形態の上面図。
【図４Ｄ】図４Ｃに示される第２の実施形態による第１のクランプ要素の正面図。
【発明を実施するための形態】
【００１６】
図１は、当該技術分野において一般的に既知である脱毛装置１の概略図である。脱毛装置１は、ハウジング２と、ハウジング２に着脱可能に取り付けられたヘッド部１０とを含む。ハウジング２内部には、（再充電可能な）電池（例えば、ニッケルカドミウム電池又はＬｉイオン蓄電池）などのエネルギー源３０、及びエネルギー源３０に連結されるモータ２０が配置される。この概略実施形態では、モータ２０は、伝達歯車２２と噛み合う歯車２１を駆動する。ヘッド部１０は脱毛シリンダー１１を含み、この脱毛シリンダー１１は、一点鎖線で示されているその長手方向軸Ａを中心に回転するように設けられる。ヘッド部１０がハウジング２に取り付けられると、伝達歯車２２は、脱毛シリンダー１１に連結された歯車２３と噛み合う。作動中、回転運動は、歯車２１、２２、及び２３の噛み合い構成を介して、モータ２０から脱毛シリンダー１１に伝達される。脱毛シリンダー１１は、それぞれが第１のクランプ要素１２ａと第２のクランプ要素１２ｂとを含む、複数のクランプユニット１２を含み、第１のクランプ要素１２ａ及び第２のクランプ要素１２ｂは、当該技術分野において既知であるように、毛髪を挟むように互いの方に向けて、及び分離して第１のクランプ要素１２ａと第２のクランプ要素１２ｂとの間の隙間に毛髪が送り込まれるのを可能にするように、繰り返し移動する。第１のクランプ要素１２ａ及び第２のクランプ要素１２ｂの繰り返されるクランプ運動は、脱毛シリンダー１１が回転している状態で影響を受ける。記載されるような脱毛シリンダー１１は、例えば、欧州特許第０  ９２１  ７４４（Ｂ１）号の中でより詳細に論じられており、当該特許は参照により本明細書に組み込まれる。第１のクランプ要素及び第２のクランプ要素が脱毛シリンダーの全直径にわたって延びない脱毛シリンダーの別の実現形態が、例えば、国際特許出願第２００６／０３７３９２（Ａ１）号に記載されており、当該特許出願もまた、参照により本明細書に組み込まれる。脱毛シリンダー１１の具体的な実現形態は、その実現形態が、作動の際に第２のクランプ要素１２ｂとクランプ接触する第１のクランプ要素１２ａを含むが、第１のクランプ要素１２ａ及び第２のクランプ要素１２ｂのうちの一方が、例えば、固定して取り付けられた要素として、又は更には脱毛シリンダー１１自体の一体の一部分（例えば、脱毛シリンダー１１内の開口の壁要素）として実現される限り、本出願には関連しない。
【００１７】
図２は、提案される脱毛装置の例示的な脱毛シリンダー１１の一部、及び図１に示されるヘッド部１０の中に同様に位置決めされる作動ユニット１４の概略図である。図２は、欧州特許第０  ９２１  ７４４（Ｂ１）号に記載されている脱毛シリンダーの概略図であり、当該特許の対応の内容は、参照により本明細書に組み込まれるものとする。説明を簡単にするために、脱毛シリンダー１１の外側表面１９が、点線で示されている。脱毛シリンダー１１の図示された部分は、互いに対して向かい合って配置された２対の第１のクランプ要素１２ａ及び第２のクランプ要素１２ｂを有する。この２組の第１のクランプ要素１２ａ及び第２のクランプ要素１２ｂのそれぞれは、主として同様に配置されかつ作動されるので、かかる対の一方のみが、より詳細に説明される。欧州特許第０  ９２１  ７４４（Ｂ１）号に記載されるように、後続する対の第１のクランプ要素１２ａ及び第２のクランプ要素１２ｂは、円周方向に互いに対して角度を付けられてもよい。第１のクランプ要素１２ａは、脱毛シリンダー１１にわたって延び、枢着部１６を中心に回転可能となるように、中心軸１７に取り付けられる。枢着部１６は、この場合も先と同様に一点鎖線によって示される長手方向軸Ａ上に位置決めされる。第２のクランプ要素１２ｂもまた、脱毛シリンダー１１にわたって延びるが、固定して取り付けられない。
【００１８】
作動ユニット１４はベースプレート１４ａを含み、ベースプレート１４ａには、加圧プレート１４ｃに力を及ぼすバネ要素１４ｂが取り付けられ、この加圧プレート１４ｃは、脱毛シリンダー１１内に取り付けられた作動要素１４ｄに順次作用する。作動中に脱毛シリンダー１１が方向Ｒに回転すると、脱毛シリンダー１１内の空洞の中に設けられた作動要素１４ｄが、加圧プレート１４ｃの表面上で摺動する。バネ要素１４ｂによって、加圧プレート１４ｃは、図２において上部の作動要素１４ｄに関して示されているように、作動要素１４を脱毛シリンダーに押し込む。このため、作動要素１４ｄは、次に、第１のクランプ要素１２ａに作用を及ぼし、その結果、第１のクランプ要素１２は、矢印Ｓで示される旋回方向に、枢着部１６を中心に旋回する。例えば、欧州特許第０  ９２１  ７４４（Ｂ１）号に記載されているような既知の装置では、第１のクランプ要素１２ａ及び第２のクランプ要素１２ｂは、次に、密接にクランプ接触した状態になり、対応の第１のクランプ要素１２ａの第１のクランプ面１２ｃと、第２のクランプ要素１２ｂの第２のクランプ面１２ｄとは、隙間なしに互いに接触し合う（第１のクランプ要素と第２のクランプ要素との間に１本の毛髪又は数本の毛髪がクランプされる場合には、隙間が生じるが、クランプされた毛髪がない場合は、隙間は維持されないことになる）。提案される脱毛装置では、スペーサ１３が、第１のクランプ要素１２ａと第２のクランプ要素１２ｂとの間に配置されるので、（最小）幅ｄを有する隙間１８が、第１のクランプ面１２ｃと第２のクランプ面１２ｄとの間に維持される。幅ｄが、約５マイクロメートル（μｍ）〜４０μｍの範囲内、又は特に１０μｍ〜３０μｍの範囲内にあるように選択される場合、典型的な直径が３０μｍを下回る軟毛は効果的にクランプされず、したがって、通常は皮膚から引き抜かれない。上で定義された距離ｄが、第１のクランプ面と第２のクランプ面との間に維持されたとしても、軟毛よりも大きな直径を有する硬毛だけが、効果的にクランプされる。女性の硬毛の典型的な直径は、約６０μｍ±２０μｍ（毛髪は、約１．２〜１．７の典型的な楕円率を有する）であるので、例えば、閉位置において、この一対のクランプ要素１２ａと１２ｂとの間に距離ｄ＝３０μｍが維持される場合、典型的な硬毛は効果的にクランプされて、そのため皮膚から引き抜かれる。その結果、可視的かつ非審美的な色素沈着を有することの多い硬毛のみが、皮膚から引き抜かれる。残存する軟毛によってもたらされる皮膚の自然な（ビロードのような）印象が維持される一方で、非審美的な印象を有すると考えられる硬毛は除去される。
【００１９】
図３は、図２にも示されている、一対の第１のクランプ１２ａ及び第２のクランプ１２ｂの概略図であるが、移動可能なスペーサ１３を備える。スペーサ１３は、それぞれ、点線で示される第１のスペーサ位置（第１のスペーサ位置にあるスペーサ１３の効果は、スペーサがその第１のスペーサ位置にある図２を参照して論じられた）から第２のスペーサ位置まで、矢印Ｂ又はＢ’で示される方向にそれぞれ移動可能である。その第２のスペーサ位置にあるスペーサ１３が、図３において実線で示されている。第２のスペーサ位置では、閉位置において、第１のクランプ要素１２ａの第１のクランプ面１２ｃと、第２のクランプ要素１２ｂの第２のクランプ面１２ｄとの間の距離をスペーサ１３がもはや画定しない位置まで、スペーサ１３を移動させている。図３に示されるこの第２の閉位置では、第１のクランプ要素１２ａ及び第２のクランプ要素１２ｂは、互いに緊密な（又は密接な、即ち隙間のない）クランプ接触状態になる。したがって、移動可能なスペーサ１３を備える実施形態では、ユーザーは、脱毛装置を、第１のクランプ要素１２ａ及び第２のクランプ要素１２ｂが隙間のないクランプ接触（第２の閉位置）状態になる通常の様式で使用すべきか、又は第１の閉位置において第１のクランプ要素１２ａ及び第２のクランプ要素１２ｂが距離を画定するスペーサ１３によって互いに離間する特定の顔脱毛の様式で使用すべきかを、決定することができる。
【００２０】
代替の実施形態では、スペーサは、中心軸１７の周囲に配置される支持シリンダーに固定して取り付けられるディスク上の、角度的に及び半径方向に制限された高台部として実現され得る。図２に示される実施形態では、支持シリンダーは、そこを通ってクランプ要素が延びる開口を有する。ディスクはそれぞれ、一対の第１のクランプ要素１２ａと第２のクランプ要素１２ｂとの間の支持シリンダーまで、垂直に延びる。この支持シリンダーを、中心軸１７を中心にしてある角度だけ回転させることにより、固定して取り付けられたディスクもまた回転し、それにより高台部は、クランプ要素１２ａ、１２ｂが、第１のクランプ要素と第２のクランプ要素との間の距離ｄをもはや画定しないように、クランプ要素１２ａ、１２ｂの外側で回転する。したがって、ディスクが固定して取り付けられたシリンダーを回転させることによって、ユーザーが第１のスペーサ位置を切り替えることができるようにするスペーサ作動ユニットが設けられ、第１のスペーサ位置では、ディスク上の高台部として実現されたスペーサは、第１の閉位置が達成されるように第１のクランプ要素と第２のクランプ要素との間の距離を画定し、第２のスペーサ位置では、ディスク上の高台部として実現されたスペーサは、第２の閉位置が達成されるように第１のクランプ要素と第２のクランプ要素との間の距離をもはや画定しない。
【００２１】
別の実施形態では、スペーサはまた、中心軸１７に取り付けられるディスク上に形成される可動要素として提供され、当該ディスクは、それぞれ、一対の第１のクランプ要素と第２のクランプ要素との間で延びる。可動要素は、少なくとも第１のスペーサ位置の間で移動可能であるように、ディスク上に配置され、第１のスペーサ位置では、可動要素は、第１の閉位置が達成されるように第１のクランプ要素と第２のクランプ要素との間の距離を画定し、第２のスペーサ位置では、高台部として実現されたスペーサは、第２の閉位置が達成されるように第１のクランプ要素と第２のクランプ要素との間の距離をもはや画定しない。例えば、可動要素として実現されたスペーサは、アンダーカット溝の中を誘導され得、アンダーカット溝の中には、第１及び第２のスペーサ位置がスナップ嵌め用凹所によって画定されており、可動要素は溝の中に移動すると、スナップ嵌め用凹所に嵌り込む。
【００２２】
図４Ａは、第１のクランプ要素１２ａ及び第２のクランプ要素１２ｂの例示的な実施形態の皮膚接触側の概略上面図であり、図４Ｂは、図４Ａに示される例示的な実施形態における、第１のクランプ要素１２ａの頂部領域のクランプ面の正面図である。図４Ａは、第１の閉位置にある第１のクランプ要素１２ａ及び第２のクランプ要素１２ｂの皮膚接触側を示す。スペーサ１３ａは、第１のクランプ要素１２ａの製造プロセスにおいて２つのスペーサ１３ａの間の材料を除去することによって、第１のクランプ要素１２ａの一体の部分（複数）として実現される。材料の除去工程は、ミリング、研削、エッチング又は任意のその他の好適な技術によって行われ得る。その結果、第１のクランプ要素の第１のクランプ面１２ｃ、及び第２のクランプ要素１２ｂの第２のクランプ面１２ｄは、第１の閉位置において隙間１８が維持されるように、距離ｄだけ離間する。スペーサ１３ａが存在するクランプ要素の側面は、作動中にカバーされる又は被覆され得、第１の閉位置において依然として隙間のない接触状態になる第１及び第２のクランプ要素の側面によって、軟毛が挟まれないように及び引き抜かれないようにする。このようなカバーは、図４Ａにおいて点線で示されている。
【００２３】
前述の脱毛シリンダーの実施形態では、（例えば、図２に示されるように）第１のクランプ要素１２ａを枢着部１６を中心に旋回させることによって、第１のクランプ要素１２ａ及び第２のクランプ要素１２ｂは第１の閉位置に至る。第１の閉位置において、第１のクランプ要素１２ａ及び第２のクランプ要素１２ｂは、したがって、互いに対して角度付けされている。したがって、角度付けされた構成は、第１のクランプ要素１２ａと第２のクランプ要素１２ｂとの間の、皮膚接触面から中心軸１７までの高さ方向の距離の増加をもたらすので、第１のクランプ要素１２ａの第１のクランプ面１２ｃは、クランプされる可能性のある毛髪の全長にわたって第１のクランプ要素１２ａの材料を除去することによって実現される必要はない。図４Ｂに示されるように、材料が除去された領域は、高さ方向に限定されている。正確な寸法は、具体的な実施形態によって決まる。
【００２４】
脱毛シリンダーの別の実施形態では、第１及び第２のクランプ要素の一方を旋回させることなくこれらを一緒に押すことによって、即ち、これらを共に直線的に移動させることによって、第１のクランプ要素１２ａ及び第２のクランプ要素１２ｂは、第１の閉位置に至る。このような実施形態では、材料が除去された領域は、第１のクランプ要素と第２のクランプ要素との間に送り込まれる典型的な軟毛と、高さ方向において同じ長さになるように、設計される。
【００２５】
図４Ｃは、第１のクランプ要素１２ａ及び第２のクランプ要素１２ｂの別の例示的な実施形態の皮膚接触側の概略上面図であり、図４Ｄは、図４Ｃに示される例示的な実施形態における、第１のクランプ要素１２ａの頂部領域のクランプ面の正面図である。この実施形態では、スペーサ１３ｂは高台部分によって実現され、具体的には、第１のクランプ要素１２ａの基材シート材料に接着剤で接着された、溶接された、又は別様に接合された薄い金属箔又はプラスチック箔によって実現されてもよい。図４Ｃに示される第１の閉位置において、第１のクランプ要素１２ａの第１のクランプ面１２ｃ、及び第２のクランプ要素１２ｂの第２のクランプ面１２ｄは、隙間１８が維持されるように、距離ｄだけ離間する。第１のクランプ要素１２ａ及び第２のクランプ要素１２ｂの側面は、これらの面が隙間のない接触状態になるときに毛髪がクランプされないように、図４Ｃにおいて点線で示されるように、作動中にカバーされ得る。
【００２６】
図４Ａ〜４Ｄに示される実施形態は、本発明を制限するものとして解釈されるべきではない。具体的には、クランプ要素の一体の部分（複数）として、又はクランプ要素に接合された箔若しくは薄いシートとして実現されるスペーサ１３ａ、１３ｂは、第１のクランプ要素及び／又は第２のクランプ要素上で実現され得、また第１及び第２のクランプ要素のクランプ面上の任意の他の部分に設置され得る。特に、皮膚接触側が部分的に密接なクランプ接触をしないように、したがって、これらの部分の軟毛のクランプを回避するためにカバーを取り除くことができるように、スペーサは、クランプ要素の皮膚接触面に対してより遠位の部分において実現され得る。
【００２７】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【図１】
2012520162.tif 000003
【図２】
2012520162.tif 000004
【図３】
2012520162.tif 000005
【図４Ａ】
2012520162.tif 000006
【図４Ｂ】
2012520162.tif 000007
【図４Ｃ】
2012520162.tif 000008
【図４Ｄ】
2012520162.tif 000009
【国際調査報告】
2012520162.tif 000010
2012520162.tif 000011